(57)【要約】  消費財用のパック（１０）は、外側シェル（１２）および内側ボックス（１４）を備える。外側シェルは、前部壁（１８）と、前部壁よりも短い後部壁（２８）と、上部壁（２４）と、前部壁を後部壁に接続する底部壁（２６）と、前部壁の一部を後部壁に接続する側壁（２０、２２）とを備える。内側ボックスは、消費財（３８）を含むためであり、前部壁（３０）と、後部壁と、前部壁を後部壁に接続する側壁（３２）と、上部壁（３４）と、底部壁とを備える。内側ボックスの前方および上部の壁は、開口部（３６）を有する。ヒンジ（１６）は内側ボックスを外側シェルに接続する。ヒンジは内側ボックスの後部壁に柔軟に接続され、また外側シェルの後部壁の上側端に柔軟に接続され、これによって、内側ボックスが外側シェル内に入れ子になりかつ内側ボックスの底部端部分が外側シェルの前方、後方、側部上部および底部の壁の上にある閉位置と、内側ボックスの上部壁が外側シェル上部壁の真上に見える中間位置を通って、内側ボックスの上端に外側シェルがない開位置までの間を内側ボックスが移動できるようになっている。パック用のブランク（６０）も提供される。【選択図】図２
2018535152.tif 000002
【特許請求の範囲】
【請求項１】
消費財用のパックであって、
外側シェルであって、
外側シェル前部壁と、
前記前部壁に対向しかつ前記前部壁よりも短い外側シェル後部壁と、
前記前部壁の一端を前記後部壁の前記対応する端に接続する外側シェル底部壁と、
前記外側シェル後部壁が上側端を持つように、前記外側シェル前部壁の対向端から延びかつ前記外側シェル前部壁の前記前記対向端の一部分を前記外側シェル後部壁の対応する対向端に接続する対向する外側シェル側壁とを備える、外側シェルと、
消費財を含むための内側ボックスであって、前記ボックスが、
内側ボックス前部壁と、
前記前部壁に対向する内側ボックス後部壁と、
前記内側ボックス前部壁の対向端を前記内側ボックス後部壁の対応する対向端に接続する対向する内側ボックス側壁と、
内側ボックス底部壁とを備える、内側ボックスと、
前記内側ボックスを、前記外側シェルの前記後部壁の前記上側端に柔軟に接続されかつ第二のヒンジ部分に柔軟に接続された第一のヒンジ部分を含む前記外側シェルに接続するヒンジであって、前記第二のヒンジ部分が前記内側ボックスの前記後部壁に柔軟に接続されているものとを備え、
これによって、前記内側ボックスが前記外側シェル内に入れ子になりかつ前記内側ボックスの前記底部端部分の上に前記外側シェルの前記前方、後方、側部上部および底部の壁がある閉位置と、前記内側ボックスの上部が前記外側シェル上部壁の真上に見える中間位置を通って、前記内側ボックスの前記上端に前記外側シェルがない開位置までの間を前記内側ボックスが移動できるようになっている、消費財用のパック。
【請求項２】
前記内側ボックスの前記後部壁が後部壁上側端を有し、かつ前記ヒンジが前記後部壁上側端に柔軟に接続されている、請求項１に記載のパック。
【請求項３】
前記第一および第二のヒンジ部分がヒンジ線に沿って結合される、請求項１または２に記載のパック。
【請求項４】
前記ヒンジが、折り畳まれて前記第一および第二のヒンジ部分を画定するシート材料で形成される、請求項１〜３のいずれか一項に記載のパック。
【請求項５】
前記外側シェルが前記底部壁に対向する上部壁をさらに備える、請求項１〜４のいずれか一項に記載のパック。
【請求項６】
前記内側ボックスが上部壁を有する、請求項１〜５のいずれか一項に記載のパック。
【請求項７】
前記内側ボックスがその上側部分内に開口部を有する、請求項１〜６のいずれか一項に記載のパック。
【請求項８】
前記開口部が、前記内側ボックス上部壁、前記内側ボックス前部壁または前記内側ボックス上部壁と前記内側ボックス前部壁の両方にある、請求項６および７に記載のパック。
【請求項９】
前記外側シェルおよび前記ヒンジが相互に一体である、請求項１〜８のいずれか一項に記載のパック。
【請求項１０】
前記外側シェル、前記内側ボックスおよび前記ヒンジがカードなどの折り畳まれたシート材料でできている、請求項１〜９のいずれか一項に記載のパック。
【請求項１１】
前記外側シェルの前記前部壁が開口部を有する、請求項１〜１０のいずれか一項に記載のパック。
【請求項１２】
請求項１〜１１のいずれか一項に記載のパックの前記外側シェルおよびヒンジのための一体型ブランクであって、
外側シェル前部壁パネルと、
前記外側シェル前部壁パネルのそれぞれ第一および第二の対向端から延びる第一および第二の外側シェル側壁パネルと、
前記外側シェル前部壁パネルの第三の端から延びる外側シェル上部壁パネルと、
前記外側シェル前部壁パネルの第四の端から延びる外側シェル底部壁パネルと、
前記外側シェル前部壁パネルに対向する前記外側シェル底部壁パネルの端から延びる外側シェル後部壁パネルと、
前記外側シェル底部壁パネルに対向する前記外側シェル後部壁パネルの端から延びる第一のヒンジ部分パネルと、
前記外側シェル後部壁パネルに対向する前記第一のヒンジ部分パネルの端から延びる第二のヒンジ部分パネルとを備える、一体型ブランク。
【発明の詳細な説明】
【技術分野】
【０００１】
本発明は、喫煙物品（例えば、紙巻たばこまたはその他の細長い喫煙物品）などの消費財用のパックに関連する。
【背景技術】
【０００２】
紙巻たばこおよびその他の喫煙物品などの消費者物品は、（通常はカードの）ヒンジ・リッド式パックで消費者に提供されることがよくあり、ここで物品はボックスの上部端にヒンジ付けされたリッドによって閉じられた開いた上端を持つボックス内に保持される。閉じたパックは通常、一般的に立方体である。紙巻たばこおよびその他の喫煙物品の場合、物品はボックス内の包まれた束内に、例えば金属化紙シート内に包まれた状態でもよく、またパックはバリア材料（ポリプロピレンなど）のシートでオーバーラップされてもよく、これらの手段は貯蔵中にパック内容物を新鮮に保つ役割をする。パックリッドが開口されて物品をボックスから取り出すと、リッドが再び完全に開口されるまでボックスへの自由なアクセスが阻止されるように、ユーザーがリッドを積極的に閉じなくてもリッドを放すと、リッドは通常、部分的に閉じる。
【０００３】
いったん開口されると、ユーザーからの介入なしに完全に開いた状態を保つことができ、かつ簡単に開閉ができる、紙巻たばこまたはその他の喫煙物品などの消費者物品用のパックを提供することがこれまで望ましかった。
【発明の概要】
【０００４】
本発明によれば、外側シェル前部壁と、前部壁に対向しかつ前部壁よりも短い外側シェル後部壁と、前部壁の一端を後部壁の対応する端に接続する外側シェル底部壁と、外側シェル後部壁が上側端を持つように、外側シェル前部壁の対向端から延びかつ外側シェル前部壁の前記対向端の一部分を外側シェル後部壁の対応する対向端に接続する対向する外側シェル側壁とを備えた外側シェルを備える消費財用のパックが提供されており、パックは消費財を含むための内側ボックスをさらに備え、ボックスは内側ボックス前部壁と、前部壁に対向する内側ボックス後部壁と、内側ボックス前部壁の対向端を内側ボックス後部壁の対応する対向端に接続する対向する内側ボックス側壁と、内側ボックス底部壁とを備え、またパックは、外側シェルの後部壁の上側端に柔軟に接続されかつ第二のヒンジ部分に柔軟に接続された第一のヒンジ部分を含む外側シェルに内側ボックスを接続するヒンジをさらに備え、第二のヒンジ部分が内側ボックスの後部壁に柔軟に接続されており、これによって、内側ボックスが外側シェル内に入れ子になりかつ内側ボックスの底部端部分の上に外側シェルの前方、後方、側部上部および底部の壁がある閉位置と、内側ボックスの上部壁が外側シェル上部壁の真上に見える中間位置を通って、内側ボックスの上端に外側シェルがない開位置までの間を内側ボックスが移動できるようになっている。
【０００５】
外側シェルの後部壁は、外側シェルの底部壁から上部壁に向けて延びるが、上部壁には達しない。好ましい実施形態において、外側シェル後部壁は、外側シェル底部壁と外側シェル上部壁の間の距離の２０％を超えない、好ましくは１５％を超えない、より好ましくは１０％を超えない長さだけ延びる。
【０００６】
一部の好ましい実施形態において、ヒンジは、外側シェルの後部壁の自由な上側端に柔軟に接続され、かつ第二のヒンジ部分に柔軟に接続された第一のヒンジ部分を備え、第二のヒンジ部分は内側ボックスの前記上側端に柔軟に接続される。
【０００７】
一部の好ましい実施形態において、内側ボックスの後部壁は後部壁上側端を有し、かつヒンジは後部壁上側端に柔軟に接続されている。
【０００８】
一部の好ましい実施形態において、第一および第二のヒンジ部分はヒンジ線に沿って結合される。
【０００９】
一部の好ましい実施形態において、ヒンジは、折り畳まれて第一および第二のヒンジ部分を画定するシート材料で形成される。
【００１０】
一部の好ましい実施形態において、外側シェルは底部壁に対向する上部壁をさらに備える。これによって、パックが開封された時にパック内容物へのアクセスが非常に簡単になる。
【００１１】
一部の好ましい実施形態において、内側ボックスは、パックが開封された時にパック内容物へのアクセスを可能にするために、その上側部分内に開口部を有する。開口部は、例えば外側シェルの前部壁または内側シェルの後部壁、または両方の壁にあってもよい。開口部は穿孔などの虚弱線によって画定されることができ、それによってユーザーは開口部を作成するためにパックを最初に開封して壁のその一部を除去する。開口部は虚弱線によって部分的に画定されることができ、また上部壁を後部壁から分離する、または上部壁を前部壁から分離する折り目など、内側ボックスの壁間の折り目によって部分的に画定されてもよい。ユーザーは、開かれてパックの内容物へのアクセスを提供するフラップを作製するための虚弱線を破断し得る。別の方法として、開口部は製造工程中に内側ボックスに組み込まれ得る。
【００１２】
一部の実施形態において、外側シェルおよびヒンジは相互に一体である。
【００１３】
一部の好ましい実施形態において、外側シェル、内側ボックスおよびヒンジはカードなどの折り畳まれたシート材料でできている。
【００１４】
一部の好ましい実施形態において、パックの前部壁は、ユーザーが内側ボックスの前部壁を押し、それを閉位置から開位置に向けて移動させてパックの開封を容易にする開口部を有する。
【００１５】
また、本発明によれば、本発明によるパックの外側シェルおよびヒンジの一体型ブランクが提供されており、これは外側シェル前部壁パネルと、外側シェル前部壁パネルのそれぞれ第一および第二の対向端から延びる第一および第二の外側シェル側壁パネルと、外側シェル前部壁パネルの第三の端から延びる外側シェル上部壁パネルと、外側シェル前部壁パネルの第四の端から延びる外側シェル底部壁パネルと、外側シェル前部壁パネルに対向する外側シェル底部壁パネルの端から延びる外側シェル後部壁パネルと、外側シェル底部壁パネルに対向する外側シェル後部壁パネルの端から延びる第一のヒンジ部分パネルと、外側シェル後部壁パネルに対向する第一のヒンジ部分パネルの端から延びる第二のヒンジ部分パネルとを備える。
【００１６】
一部の好ましい実施形態において、一体型ブランクは、一般に長方形の外側シェル前部壁パネルを備える。
【００１７】
本発明によるパックは、数多くのタイプの消費者製品を保持するために使用されることができ、細長い消費者製品を保持するために特に有用である。パックは、例えば複数枚のチューインガムなど、菓子類を保持するために使用され得る。パックはまた、紙巻たばこまたはその他の喫煙物品を保持するためにも使用され得る。
【００１８】
外側シェルおよび内側ボックスは、閉じたパックが一般に立方体であるように、一般に立方体の形状であることが好ましい。一部の実施形態において、外側シェルまたは内側ボックスまたは両方は、湾曲した端またはベル型の端を持ち得る。内側ボックスまたは外側シェルまたは両方の外方向に向いた面には、情報またはブランドのしるしまたはその他のしるしを記載し得る。
【００１９】
外側シェルおよび内側ボックスは、十分に自立したシート材料（カードなど）で作製され得る。
【００２０】
特に、紙巻たばこおよびその他の喫煙物品の場合、物品は、内側ボックス内の包まれた束内に、例えば金属化紙シート内に包まれた状態でもよく、またパックは、バリア材料（二軸延伸ポリプロピレンなど）のシートでオーバーラップされてもよく、これらの手段は貯蔵中にパック内容物を新鮮に保つ役割をする。
【００２１】
本明細書において、「上部」、「底部」、「上側」、「側面」、「前方」、「後方」およびこれに類するものなどの用語は、図１に示す通り通常の直立位置にあるパックに言及するものである。
【００２２】
本発明を、例証として以下の図面を参照しながらさらに説明する。
【図面の簡単な説明】
【００２３】
【図１】図１は、部分的に開封されている、本発明の好ましい実施形態によるパックの斜視図を示す。
【図２】図２は、完全に開封された、図１のパックを示す。
【図３】図３は、図１および図２のパックのためのブランクを示す。
【発明を実施するための形態】
【００２４】
図１および図２のパック１０は、ヒンジ１６（図２で表示）によって結合された外側シェル１２および内側ボックス１４を備える。外側シェル１２は、前部壁１８と、対向する第一の側壁２０および第二の側壁２２とを持ち、第一の側壁および第二の側壁は前部壁に対して直角を成して延び、かつそれらの端部でそれぞれ上部壁２４および底部壁２６によって相互に結合する。外側シェル後部壁２８は、底部壁２６から側壁２０、２２に沿って、外側シェルの上部壁２４に向けた距離の１０％だけ延び、外側シェルの後方のほとんどは開いたままである（図２）。内側ボックス１４は、後部壁（図１および図２では表示されていない）の反対側の前部壁３０を持つ。前部壁３０および後部壁は、対向する第一の側壁３２および第二の側壁（図面には表示せず）によって、また上部壁３４および上部壁に対向する底部壁（図面には表示せず）によって結合される。内側ボックス１４の上部壁３４および前部壁３０にある開口部３６は、パックが開封された時に内側ボックス内の物品３８へのアクセスを可能にする。円形の孔４０は外側シェル１２の前部壁１８を通して提供される。
【００２５】
外側シェル１２はヒンジ１６によって内側ボックス１４に接続される。ヒンジは、ヒンジ線４６に沿って相互に柔軟に接続された第一の部分４２および第二の部分４４（図２を参照）から成る。第一のヒンジ部分４２は、ヒンジ線４６の反対側のその端に沿って、外側シェル１２の後部壁２８の上側端４８に柔軟に接続される。第二のヒンジ部分４２は、ヒンジ線４６の反対側のその端に沿って、内側ボックス１４の後方の上側端５０に柔軟に接続される。
【００２６】
パックが封止されている時、内側ボックス１４は、閉じたパックが立方体の形状になるように、外側シェル１２の内側に入れ子状になる。内側ボックス１４の前部壁２８、側壁３０および上部壁３２は、外側シェル１２の対応する壁の内側面に寄りかかる。内側ボックス１４の後部壁の下側部分は、外側シェル１２の後部壁２８の内側面に寄りかかる。ヒンジ１６は内側ボックス１４の後部壁の外側面に寄りかかる。外側シェル１２および内側ボックス１４の寸法は、内側ボックスが外側シェル１２内で摩擦嵌合であるような寸法である。
【００２７】
パック１０を開封するには、ユーザーは内側ボックス１４の前部壁２８に対して、外側シェルの前部壁１８にある開口部２８を通して、例えば指を使用して押し付ける。ヒンジ１６は、外側シェルの後部壁２８の上側端４８のまわりを、図１に示す位置に旋回する。内側ボックス１４の開口部３６は露出され、１つ以上の物品が内側ボックスから開口部を通して取り出され得る。さらなる物品が必要とされない場合、内側ボックス１４は、パックが閉じた状態になるように、外側シェル１２の内側に押し戻され得る。その代わり、それがパックを開封した状態に保つために必要な場合、内側ボックスは、外側シェル１２の後部壁２８の上側端４８のまわりをさらに旋回でき、また図２に示す通り内側ボックスの上端が外側シェルの上部壁から離れて傾くように、内側ボックス１４の底部は、外側シェルの上部壁２４に向けて、外側シェル１２の前部壁１８の内側面の上に引くことができる。この位置は、ヒンジ１６が、移動に対応するために、内側ボックス１４の後方の上側端５０の周り、および第一のヒンジ部分４２と第二のヒンジ部分４４の間のヒンジ線４６の周りを旋回したところである。開封されたパックは、テーブルなどの平坦な表面上に配置されることができ、外側シェル１２の前部壁１８はテーブル上部上に位置する。内側ボックス１４は外側シェル１２内に摩擦嵌合されるため、傾いた位置に留まり、内側ボックス内にある物品３８への内側ボックス１４の開口部３６を通した簡単なアクセスを可能にする。パックを閉じるには、ユーザーは、内側ボックス１４の底部を外側シェル１２の前部壁１８の内側面の上に、外側シェル１２の底部壁２６に向けて移動する。内側がその方向に移動するに伴い、ヒンジ１６は、内側ボックスが外側シェル内に入れ子になるように、内側ボックスの後部壁の外側面に対して平坦になり、内側ボックスの底部分は外側シェルの後部壁２８の下にスライドする。
【００２８】
特に、パック１０内の物品３８が紙巻たばこまたはその他の喫煙物品である時、物品は、内側ボックス内の包まれた束内に、例えば金属化紙シート内に包まれた状態でもよく、またパックは、バリア材料（二軸延伸ポリプロピレンなど）のシートでオーバーラップされてもよく、これらの手段は貯蔵中にパック内容物を新鮮に保つ役割をする。内側ボックス１４の上部２４および前部１８の壁にある開口部３６（これを通して物品が内側ボックスから取り出される）は、パック１０が最初に開封される時、ユーザーがそれらの壁の一部分を虚弱線に沿って取り除くことによって作られ得る。他の実施形態において、開口部３６は製造中に提供され得る。
【００２９】
図１および２のパック１０の外側シェル１２は、図３に示すもののようなブランク６０から作製され得る。図３のブランクでは、パネルは相互に一体であり、また折り目線によって相互に画定される。壁パネル（内側の壁パネルおよび外側の壁パネルを含む）は長方形であり、固定用フラップは台形であり、端から離れるように細くなり、それに沿って壁パネルに隣接する。
【００３０】
（カードの）ブランク６０は長方形の前部壁パネル６２から成り、長方形の前部壁パネル６２はそれを貫通する円形の孔４０を有する。前部壁パネル６０の対向する長い端から延びるのは、第一の外側側壁パネル６４および第二の外側側壁パネル６６である。前部壁パネル６２の反対側の第一の外側側壁パネル６４および第二の外側側壁パネル６６のそれぞれの端から、それぞれ第一の内側側壁パネル６８および第二の内側側壁パネル７０が延びる。前部壁パネル６２の短い端の一つから、外側上部壁パネル７２が延びる。外側上部壁パネル７２のそれぞれの短い端から、上部壁固定用フラップ７４が延びる。前部壁パネル６２の反対側の外側上部壁パネル７２の端から、内側上部壁パネル７６が延びる。ラグ７８は内側上部壁パネル７６のそれぞれの短い端から延びる。外側上部壁パネル７２の反対側の前部壁パネル６２の短い端から、底部壁パネル８０が延びる。底部壁パネル８０のそれぞれの短い端から、底部壁固定用フラップ８２が延びる。底部壁パネル８０の端から、後部壁パネル８４が延びる。後部壁パネル８４のそれぞれの短い端から、後部壁固定用フラップ８６が延びる。底部壁パネル８０の反対側の後部壁パネル８４の端から、第一のヒンジ部分パネル８８が伸び、完成したパックでは、後部壁パネル８４と第一のヒンジ部分パネル８８の間の折り目は、後部壁２８の上側端４８である。後部壁パネル８４の反対側の第一のヒンジ部分パネル８８の端から、第二のヒンジ部分パネル９０が延びる。完成したパックでは、第一のヒンジパネル部分８８と第二のヒンジパネル部分９０の間の折り目はヒンジ線４６である。第二のヒンジ部分パネル９０の端から、折り目線９４に沿って取付パネル９２が延び、完成したパックでは、このパネルはヒンジ１６を内側ボックスの上側後方端５０に沿って内側ボックス１４に固定する。第二のヒンジ部分パネル９０の他の２つの端のそれぞれから、ヒンジ補強用パネル９６が延びる。
【００３１】
パック１０を形成するには、それぞれの上部壁固定用フラップ７４およびそれぞれの底部壁固定用フラップ８２が、それぞれの外側側壁パネルの内側面に折り畳まれる。それぞれの後部壁パネル固定用フラップ８６は、底部壁固定用フラップ８２の内側面に折り畳まれる。それぞれの内側側壁パネル６８、７０は、それぞれの外側側壁パネルの内側面に折り畳まれ、内側上部壁パネル７６から延びて接着によって固定される上部壁固定用フラップ７４、底部壁固定用フラップ８２、後部壁パネル固定用フラップ８６およびタブ７８を捕捉する。内側上部壁パネル７４は外側上部壁パネル７２の内側面に折り畳まれ、接着によって固定される。ヒンジ補強用パネル９６は、第二のヒンジ部分パネル９０に折り畳まれて、それに接着される。こうして、外側シェル１２およびヒンジ１６が形成される。
【００３２】
内側ボックス１４は、内側ボックス内に収容される物品（例えば、包まれた紙巻たばこの束）の周りをカードブランクで包んで作製され得る。外側ボックス１２の取付パネル９０は、取付パネル９０と第二のヒンジ部分パネル８８の間の折り目線９２が内側ボックスの上側後方端５０に沿って位置するように、接着剤によって内側ボックス１４の後部壁に固定される。
【００３３】
本発明は、開いた状態に維持されることができ、かつ平坦な表面上に簡単に立てることができる、紙巻たばこまたはその他の喫煙物品などの物品用のパックを提供することが分かる。パック１０が閉じられた時、外側シェル１２のパック１０の壁の前部壁１８、側壁２０、２２、上部壁２４および底部壁２６の外側面、およびヒンジ１６の外側面にあるブランドのしるし、情報およびその他のしるしが、ユーザーに見えるようにし得る。図２に示す通り、パック１０が開封された状態で立っている時、内側ボックスの前部壁３０、側壁３２および上部壁３４の外側面、ヒンジ１６の外側面、外側ボックス１２の前部壁の内側面、および側壁２０、２２、上部壁２４および底部壁２６の内側の面および外側の面にあるブランドのしるし、情報およびその他のしるしが、ユーザーに見えるようにし得る。従って、同一サイズの従来的なパックの場合よりも、ブランドのしるし、情報またはその他のしるしの表示に利用できる広いパック表面がある。
【図１】
2018535152.tif 000003
【図２】
2018535152.tif 000004
【図３】
2018535152.tif 000005
【国際調査報告】
2018535152.tif 000006
2018535152.tif 000007